(57)【要約】      （修正有）【課題】太さの異なる人工毛を傷めることなく同時に摘まめ、さらに人工毛の形を、人工毛の根元を中心とし、先端が広がる綺麗な扇状に整え易いピンセットを提供することを課題とする。【解決手段】一対の挟持部を有するピンセット本体と、前記一対の挟持部の何れか一方に設けられる弾性部品と、を備えることを特徴とするピンセット。【選択図】図１
2019042815.tif 000002
【特許請求の範囲】
【請求項１】
一対の挟持部を有するピンセット本体と、
前記挟持部に設けられる弾性部品と、を備え、
前記弾性部品は、前記挟持部の何れか一方に設けられていることを特徴とするピンセット。
【請求項２】
前記ピンセット本体は、前記挟持部を操作可能な持ち手部を有し、
前記挟持部の長手方向は、前記持ち手部の長手方向と交差する方向に設定されていることを特徴とする、請求項１に記載のピンセット。
【請求項３】
前記挟持部の内側に設けられている挟持面と、前記弾性部品の内側に設けられている挟持面とが、挟持対象を挟持する際に、平行状態になることを特徴とする請求項１又は請求項２に記載のピンセット。
【請求項４】
前記弾性部品は、シート状に形成されたシート状弾性部品であって、
このシート状弾性部品の外形は、前記挟持部の外形に沿って形成されていることを特徴とする、請求項１〜請求項３の何れかに記載のピンセット。
【請求項５】
前記弾性部品は、袋状に形成された袋状弾性部品であって、
この袋状弾性部品は、前記挟持部の内側を覆う内側部分と、前記挟持部の外側を覆う外側部分と、を有していることを特徴とする、請求項１〜請求項３の何れかに記載のピンセット。
【発明の詳細な説明】
【技術分野】
【０００１】
本発明は、物を挟む一対の挟持部に弾性素材の部品を設けたピンセットに関するものである。
【背景技術】
【０００２】
現在、ピンセットは、様々な用途に合わせ多種多様な形状のものが、製造されている。
【０００３】
その中には、ピンセットの先端の挟持部に、弾性素材の部品を取り付けたものが提案されている。これは挟持対象を傷つけないようにするため、あるいは挟持対象がピンセットの挟持部から滑り落ちるのを防止するため、等の理由によるものである。
【０００４】
例えば、ピンセットの両方の挟持部に弾性素材の部品を設け、挟持対象を傷めずに滑り止めの機能を付加する技術として、特許文献１〜３の技術が知られている。
【０００５】
特許文献１は、ピンセットの両先端に、ゴムで形成された被膜を装着する技術が記載されている。このピンセットは、硬く丸みを帯びた物が滑り落ちることを防ぎ、さらに傷がつきやすい物を傷つけることなく挟持できることが記載されている。
【０００６】
特許文献２では、ピンセットの両先端、または全体にゴム被膜を施す技術が記載されている。このピンセットは、ゴム被膜による弾力性と付着性により、ＩＣチップ等の挟持対象を傷つけることや、滑り落ちることを防止できることが記載されている。
【０００７】
特許文献３では、ピンセットの先端に、特殊なフッ素ゴム素材の被膜を施し、その被膜部分に対して選定された表面処理を行うことで、弾性はあるが付着性のない、ピンセットの形状にぴったり合う被膜部品に関する技術が記載されている。このピンセットは、挟持対象のチップを欠けさせることや、傷をつけることを防止し、さらに挟持対象をピンセットの先端から離しやすいことが記載されている。
【先行技術文献】
【特許文献】
【０００８】
【特許文献１】実開昭和５３−８２８２号公報
【特許文献２】実開昭和６２−１８６４号公報
【特許文献３】特開２０１０−１３７３２９号公報
【発明の概要】
【発明が解決しようとする課題】
【０００９】
ところで、数多くあるピンセットの使用用途の一つとして、睫毛エクステンションと呼ばれる化粧に用いられるものがある。この睫毛エクステンションに用いられるピンセットは、ツイーザーと呼ばれている。なお、睫毛エクステンションとは、エクステンション用人工毛を地毛の睫毛に接着して、睫毛のボリュームを増す手法のことを言う。
【００１０】
中でも、ボリュームラッシュと呼ばれる睫毛エクステンションの手法には、一度に複数の人工毛を摘まめるよう、一枚のシートの上に密接して配列された状態の人工毛（いわゆるシートタイプ）が用いられる。施術者は、配列された数百本〜数千本の人工毛のうち、数本をまとめて同時にピンセットで摘み、摘まんだ人工毛とピンセットとを滑らせることで、人工毛の基端側が密集し先端側が均一に広がったイチョウのような形状になるよう整える。そして人工毛の形をイチョウのような形状（扇状）に整えたところで、シートから取り外し、接着剤を人工毛の根元に塗布して、装着者の地睫毛一本ずつに接着する（例えば図５参照）。
【００１１】
さらに、睫毛エクステンション用の人工毛は、装着時により自然な睫毛に見えるように、新しい人工毛が日々開発されている。そして、最近では、一枚のシート内に、異なる太さの人工毛が何種類も配列された睫毛エクステンション用の人工毛シートが開発された。
【００１２】
ところが、このような太さの異なる人工毛が混在した人工毛シートに対し、挟持部に弾性素材が配置されていない市販のピンセットを用いる場合には、太い人工毛をつぶしてしまうという問題があった（例えば図６（ｃ），（ｄ）参照）。
【００１３】
このような問題に対し、特許文献１〜３に記載の挟持部の両方に弾性素材を有したピンセットを用いることで、太さの異なる人工毛を傷めることなく同時に摘まむことができた。しかし、このようなピンセットを用いた場合、両方の挟持部に設けられた弾性素材の双方が人工毛に引っかかってしまい、複数の人工毛をうまく滑らせて先端側が均一に広がったイチョウのような形状に、人工毛の形を整えることができなかった。
【００１４】
本発明は、上記のような実情に鑑みてなされたものであり、太さの異なる毛を傷めることなく同時に摘まめ、さらに人工毛の形を整え易いピンセットを提供することを課題とする。
【課題を解決するための手段】
【００１５】
上記課題を解決するために、本発明に係るピンセットは、一対の挟持部を有するピンセット本体と、
前記挟持部に設けられる弾性部品と、を備え、
前記弾性部品は、前記挟持部の何れか一方に設けられていることを特徴とする。
【００１６】
このような構成とすることで、太さの異なる毛を傷めることなく同時に摘まめ、さらに人工毛と挟持部との滑りが良いため、人工毛の形を整え易くすることができる。
【００１７】
本発明の好ましい形態では、前記ピンセット本体は、前記挟持部を操作可能な持ち手部を有し、
前記挟持部の長手方向は、前記持ち手部の長手方向と交差する方向に設定されていることを特徴とする。
【００１８】
このような構成とすることで、複数の人工毛を挟持しつつも、使用者にとって持ちやすい角度でピンセットを保持できる。また、複数の人工毛とピンセットを、シートと平行に滑らせることができ、人工毛の形を整え易くなる。
【００１９】
本発明の好ましい形態では、前記挟持部の内側に設けられている挟持面と、前記弾性部品の内側に設けられている挟持面とが、挟持対象を挟持する際に、平行状態になることを特徴とする。
【００２０】
このような構成とすることで、複数の人工毛にかかる圧力をほぼ同程度にすることができる。
【００２１】
本発明の好ましい形態では、前記弾性部品は、シート上に形成されたシート状弾性部品であって、
このシート状弾性部品の外形は、前記挟持部の外形に沿って形成されていることを特徴とする。
【００２２】
このような構成とすることで、弾性部品が設けられていないピンセットと同程度に挟持部を見易くすることができる。
【００２３】
本発明の好ましい形態では、前記弾性部品は、袋状に形成された袋状弾性部品であって、
この袋状弾性部品は、前記挟持部の内側を覆う内側部分と、前記挟持部の外側を覆う外側部分と、を有していることを特徴とする。
【００２４】
このような構成とすることで、不要な時に弾性部品を取り外すことができ、さらに施術者の利き手に応じて、一対の挟持部の何方に弾性部品を装着するかを使用者が選択することができる。
【発明の効果】
【００２５】
本発明によれば、太さの異なる毛を傷めることなく同時に摘まめ、さらに人工毛の形を整え易いピンセットを提供することができる。
【図面の簡単な説明】
【００２６】
【図１】本発明の実施形態１に係る、ピンセットの全体図と、挟持部周辺の拡大図である。
【図２】本発明の実施形態２に係る、ピンセットの全体図と、挟持部周辺の拡大図である。
【図３】本発明の実施形態２に係る、弾性素材の形状を示す図である。
【図４】本発明に係る、睫毛エクステンション用の人工毛の平面図と側面図である。
【図５】本発明に係る、ピンセットの使用方法を示す図である。
【図６】本発明に係る、複数の人工毛を同時に挟んだ際のピンセットの先端部の平面図である。
【発明を実施するための形態】
【００２７】
以下、図面を用いて本発明の実施形態に係るピンセットについて説明する。なお、以下に示す実施形態は、本発明の一例であり、本発明を以下の実施形態に限定するものではない。
【００２８】
図１は、本発明の実施形態１に係るピンセットの全体図を示している。図１（ａ）に示すように、ピンセット１は、一対の持ち手部１２と、接着及び分離が自在な一対の挟持部１３と、弾性部品１４とを備えている。挟持部１３は挟持部１３ａ及び１３ｂとで構成されている。また、弾性部品１４は挟持部１３ａの内側に、挟持部１３ａの内側の形状と同様の形状に加工された一枚のシート状のものとして設けられている。さらに、挟持部１３は、その長手方向が、持ち手部１２の長手方向と交差する方向に設定されている。
【００２９】
本実施形態では、弾性部品１４は、一対の挟持部１３ａ及び１３ｂのうち、片方の挟持部１３ａにのみに設けられている。しかし、反対側の挟持部１３ｂの内側にのみ弾性部品１４を設けても良い。
【００３０】
この弾性部品１４の素材は、弾性を有する素材であればよい。例えば、ゴムやスポンジなどである。より好ましくは、シリコンゴムやウレタンゴムなどの合成ゴムが良い。
【００３１】
図１（ａ）及び（ｂ）は、挟持部１３の周辺部分の拡大図である。図２（ａ）は、挟持部１３ａを手前としたときの斜視図であり、図２（ｂ）は、挟持部１３ｂを手前としたときの斜視図である。挟持面１５は、物を摘まむ際に、その挟持対象と接触する面のことを指す。実施形態１では、挟持部１３ｂの内側に設けられた平面を挟持面１５ｂ、弾性部品１４の内側に設けられた平面を挟持面１５ａとする。
【００３２】
弾性部品１４はシート状であり、外形を挟持部１３ａの内側の外形に沿った形状に加工され、挟持部１３ａの内側に接着される。このような構成とすることで、使用者に、ピンセットに挟持された複数の人工毛を見易くできる。
【００３３】
普通、挟持部１３ａに何か別の部品を取り付けると、取り付けた部品によって死角がうまれ、挟持対象の見えない部分が大きくなる。しかし、本実施形態では、弾性部品１４は挟持部１３ａの内側の外形と同じ形状であるため、挟持対象の見えない部分が大きくなることはない。そのため、挟持部１３ａに何も設けられていないピンセットと同様の視界を得られる。
【００３４】
また、挟持対象を挟持する際に、一対の挟持面１５は平行状態となる。そのため、挟持対象に係る圧力がほぼ同程度となる。それにより、挟持対象である人工毛を潰す恐れがより一層小さくなる。
【００３５】
図２は、本発明の実施形態２に係るピンセットの全体図を示している。ピンセット１は、一対の持ち手部１２と、接着及び分離が自在な一対の挟持部１３と、弾性部品１７とを備えている。挟持部１３は挟持部１３ａ及び１３ｂとで構成されている。また、弾性部品１７は挟持部１３ａに、挟持部１３ａをほぼ覆うような袋状に形成され、設けられている。さらに、挟持部１３は、その長手方向が、持ち手部１２の長手方向と交差する方向に設定されている。
【００３６】
図２（ｃ）に示すように、袋状の弾性部品１７は、挟持部１３ａから装着・取り外しが自在であり、弾性部品１７が不要であるときは、弾性部品１７を外すこともできる。
【００３７】
本実施形態では、弾性部品１７は、一対の挟持部１３のうち、片方の挟持部１３ａの方にのみ設けられている、しかし、反対側の挟持部１３ｂにのみ袋状の弾性部品１７を取り付けても良い。
【００３８】
図３は、実施形態２における、袋状の弾性部品１７の斜視図である。袋状の弾性部品１７は、挟持部１３ａの内側を覆う内側部分１７ａと、挟持部１３ａの外側を覆う外側部分１７ｂとを備え、内側部分と外側部分とは四角錘形状となっている。図３（ａ）は、外側部分１７ｂから見た正面側の斜視図で、図３（ｂ）は内側部分１７ａから見た背面側の斜視図である。また、図３（ｂ）に示すように、ピンセット１の挟持部１３ａを挿入する入口部が、四角錘の底面に設けられている。対して、図３（ａ）に示すように、略四角錘の頂点は閉じている。このような形状とすることで、挟持部１３ａ及び１３ｂの何方にも取り付けることが可能となり、施術者が何方に装着するかを選ぶことができる。
【００３９】
袋状の弾性部品１７の実施形態をこの形状に限るものではない。中が空洞で、挟持部１３の形状に合うような錘形状であり、大きさは挟持部１３が覆われる程で、物を挟持する際に容易に外れず、内側部分１７ａが凹凸の無い平滑な面であるような形状であればよい。
【００４０】
また、挟持面１９は、物を摘まむ際にその挟持対象と接触する面のことを指し、実施形態２では挟持部１３ｂの内側に設けられた平面な挟持面１５ｂと、弾性部品１７の内側部分１７ａとを含む。挟持対象を挟持する際には、この挟持面１９が平行状態となる。挟持対象に接する面同士が平行状態になることで、挟持対象に係る圧力がほぼ同程度となる。それにより、挟持対象である人工毛を潰す恐れがより一層小さくなる。
【００４１】
また、実施形態１及び２のピンセット１では、挟持部１３の長手方向は、持ち手部１２の長手方向と交差する方向に設定されている。実施形態１及び２では、交差の角度はおよそ１５０度である。ただし、実施形態はこれに限るものではなく、交差の角度は９０度より大きく、１８０度未満であればよい。
【００４２】
このように挟持部１３の長手方向と持ち手部１２の長手方向とが交差するように設定することで、施術者は、施術者自身にとって持ちやすい角度でピンセット１を保持し、尚且つ挟持部１３に挟持された挟持対象を、難なく見ることができる。
【００４３】
次いで、図４及び図５を用いて、睫毛エクステンションのひとつ、ボリュームラッシュを行う際の、実施形態１のピンセット１の使用方法について説明する。なお、実施形態２のピンセット１も、以下の説明と同様に使用することができる。
【００４４】
図４は、睫毛エクステンション用の人工毛シート２を示す図である。人工毛シート２は、数百本の人工毛２２と、シート２３とを備え、人工毛２２は、根元に塗布された接着剤２５によってシート２３に貼り付けられている。また、接着剤２５は、ピンセット１で摘んで引っ張れば容易に剥がれる程度の弱めの粘着力である。施術者は、このシート２３から複数本の人工毛２２を、ピンセット１で摘まんで剥がし取り、装着者の地睫毛に接着する。
【００４５】
図４（ａ）は、人工毛シート２の平面図である。人工毛２２は、少なくとも片隣りの人工毛２２と、太さ及び／又は長さが異なるように配列されている。
【００４６】
図５（ｂ）は、睫毛エクステンション用の人工毛シートの側面図である。人工毛２２は、根元から毛先にかけて、上方を向いて湾曲している。
【００４７】
図４は、人工毛シート２から、実施形態１のピンセット１を用いて複数本の人工毛２２を取りはがす手順を示す図である。以下、施術者が右手でピンセット１を把持しているものとして、説明する。図５（ａ）は、ピンセット１が人工毛２２に触れる前の状態を示す図である。
【００４８】
まず、ピンセット１のうち、弾性部品１４が設けられていない方の挟持部１３ｂを、人工毛２２の湾曲している部分の下に入れる。そして、挟持部１３ｂで、図５（ｂ）に示すように、端から数本の人工毛２２を手前に向かって少し湾曲させる。この数本の人工毛２２の束を、ファン２４と呼ぶ。
【００４９】
次に、図５（ｃ）に示すように、ファン２４を一対の挟持部１３で挟持し、右手方向に軽く引っ張る。
【００５０】
さらに、図５（ｄ）に示すように、ファン２４を、ピンセット１で挟持しながら、右手方向にピンセット１を滑らせ、ファン２４の形を整える。この時、根元が接着剤で接着されたファン２４がイチョウのような形状となるように人工毛２２の先端を広げて、形を整える。
【００５１】
ファン２４がイチョウのような形状に綺麗に整ったら、ピンセット１でファン２４の根元を挟持し、手前に向けて引っ張り、シート２３から剥がし取る。図５（ｅ）は、ファン２４を、シート２３から剥がし取った後の状態を示している。
【００５２】
シート２３から剥がし取られたファン２４は、その根元に接着剤を塗布し、睫毛エクステンションをしようとする装着者の地睫毛の一本に、貼り付けられる。
【００５３】
装着者の地睫毛すべてに、人工毛２２が貼り付けられるまで、この動作を繰り返し行う。
【００５４】
次いで、図６を用いてピンセットで挟まれた太さの異なる人工毛２２について説明する。なお、図６（ａ）ないし（ｄ）の何れの図も、太さの異なる人工毛を挟んだ時のピンセットの挟持部を、平面視で表した図である。
【００５５】
図６（ａ）は、一対の挟持部１３のうち、片方の挟持部１３ａにのみ弾性部品１４を設けたピンセット１である。このような構成にすることで、従来のピンセットを用いて睫毛エクステンションを行う際に発生していた問題を解消することができる。その問題とは、弾性部品を備えないピンセット１Ｍで見られた、細い人工毛２２を挟めないという問題や、人工毛２２を潰してしまうという問題、一対の挟持部１３Ｌの両方に弾性部品１４Ｌを備えたピンセット１Ｌで見られた人工毛２２の形を整えにくいという問題、の３つである。
【００５６】
図６（ｃ）及び（ｄ）は、挟持部１３Ｍに弾性部品が設けられていない、金属製のありふれたピンセット１Ｍを用いて、太さの異なる人工毛２２を挟んだ際の平面図である。図６（ｃ）は、太めの人工毛２２を挟む程度の力で挟持している状態を示している。一対の挟持部の内面が成す幅は、太い人工毛２２におよそ等しいため、細い人工毛２２は挟持されない。そのため、ピンセット１Ｍを移動させると、細い毛は挟持部１３Ｍから抜け落ちてしまうという問題がある。細い人工毛２２まで摘まもうとするとさらに強い力で挟持する必要がある。
【００５７】
図６（ｄ）は、細い人工毛２２を挟む程度の力で挟持している状態を示している。一対の挟持部の内面が成す幅は、細い人工毛２２におよそ等しいため、太い人工毛２２はその幅に入りきらない。しかし、挟持部１３Ｍは金属製で、人工毛２２より硬度が高いため、太い人工毛２２が、一対の挟持部の内面が成す幅に収まるように変形し、潰れてしまう。潰れると、人工毛２２はその部分で折れやすくなってしまうという問題がある。
【００５８】
図６（ｂ）は、一対の挟持部１３Ｌの両方に弾性部品１４Ｌを設けたピンセット１Ｌを用いて、太さの異なる人工毛２２を挟んだ際の平面図である。挟持部１３Ｌの内面に設けられた、一対の弾性部品１４Ｌの成す幅は、細い人工毛２２におよそ等しいため、太い人工毛２２はその幅には入らない。しかし、例えばゴムのような弾性を備える弾性部品１４Ｌが、太い人工毛２２を包み込むように凹むため、太い人工毛２２は潰れない。弾性部品１４Ｌによって、弾性部品を備えないピンセット１Ｍの細い人工毛２２を挟持できない問題と、太い人工毛２２が潰れて折れやすくなってしまう問題とを解消することができる。すなわち、人工毛２２を傷つけることなく、複数本を同時に摘まめることが可能である。
【００５９】
しかし、本実施形態に用いられるピンセットは、図５で示したように、睫毛エクステンションのボリュームラッシュという手法に用いられるものである。人工毛を挟持するだけではなく、人工毛の形を整えることが必要である。つまり、図５の（ｄ）で示すように、人工毛２２を軽く挟持しながら、右手方向に引っ張りつつピンセット１自体を滑らせることで、挟持された複数の人工毛２２をイチョウのような形に整えるという作業を、ピンセットで行わなければならない。
【００６０】
ピンセット１Ｍの問題を解消することができたピンセット１Ｌでは、挟持された複数の人工毛２２をイチョウのような形に整えるための、右手方向に引っ張りつつ滑らせる、という動作はできない。一対の挟持部１３Ｌの両方に設けられた弾性部品１４Ｌに、人工毛２２が引っかかってしまい、滑らないためである。このため、一対の挟持部の両方に弾性部品１４Ｌを設けると、人工毛２２の形をイチョウのような形に整えることができない。
【００６１】
そこで、本実施形態１のように、一対の挟持部１３のうち、片方の１３ａにのみ弾性部品１４を設けたピンセット１を考案した。片側に弾性部品１４を設けることで、挟持面１５（図中の１５ａ及び１５ｂ）の成す幅が、太い人工毛２２の直径よりも小さくなっても、弾性を備える弾性部品１４が、太い人工毛２２を包み込むように凹むため、太い人工毛２２は潰れない。このため、太い人工毛２２を潰して傷つけてしまうことはなく、さらに太さの異なる複数本の人工毛２２を同時に摘まむことが可能である。
【００６２】
さらに、挟持部１３ｂには弾性部品１４が設けられておらず、人工毛２２に接する挟持面１５ｂは、ピンセット１と同素材の金属製の面である。一般に、素材の表面に何か物を滑らせると、ゴムなどの弾性素材よりも金属素材の方が、物がよく滑る。そのため、一対の挟持部の両方に弾性部品１４Ｌが設けられているピンセット１Ｌと比較すると、本実施形態１のピンセット１の方が、金属素材でできた挟持面１５ｂのため、人工毛２２と挟持面１５との引っかかりを軽減できる。すなわち、人工毛２２を軽く挟持しながら、右手方向に引っ張りつつピンセット１と人工毛２２を滑らせることで、挟持された複数の人工毛２２をイチョウのような形に整え易くなる。
【００６３】
本発明によれば、一対の挟持部１３のうち、片方の挟持部１３ａにのみ弾性部品１４を設けたことによって、太さの異なる人工毛２２を潰し傷つけることなく同時に挟むことができる。さらに人工毛２２とピンセット１とが滑り易くなったため、人工毛２２の先端を均一に広げることができ、人工毛２２をイチョウのような形に整え易くなった。
【００６４】
なお、本実施形態では、挟持部の内側に一枚の板状の弾性部品を設けたピンセットで、効果の説明を行ったが、実施形態はこれに限らない。前述した実施形態２の、袋状の弾性部品１７でもよい。
【産業上の利用可能性】
【００６５】
太さの異なる人工毛を傷めることなく同時に摘まみ、さらに人工毛と挟持部との滑りが良く、人工毛の形状を整え易いピンセットを提供することができる。
【符号の説明】
【００６６】
１  ピンセット
１２  持ち手部
１３  挟持部
１３ａ  挟持部
１３ｂ  挟持部
１４  弾性部品
１５  挟持面
１５ａ  挟持部１３ａの挟持面
１５ｂ  挟持部１３ｂの挟持面
１７  弾性部品
１７ａ  内側部分
１７ｂ  外側部分
１９  挟持面
２  睫毛エクステンション用の人工毛シート
２２  人工毛
２３  シート
２４  ファン
２５  接着剤
１Ｌ  ピンセット
１３Ｌ  挟持部
１４Ｌ  弾性部品
１Ｍ  ピンセット
１３Ｍ  挟持部
【図１】
2019042815.tif 000003
【図２】
2019042815.tif 000004
【図３】
2019042815.tif 000005
【図４】
2019042815.tif 000006
【図５】
2019042815.tif 000007
【図６】
2019042815.tif 000008